(57)【要約】【課題】  手加減により流量調整が可能であり、かつ汎用または既設のシャワーヘッドを利用することが可能な簡易ビデを提供することを課題とする。【解決手段】  本発明の簡易ビデ１は、膣に挿入装着可能に構成されると共に、内部にシャワー水流路２２が形成され、シャワーヘッドＡからのシャワー水を噴出させる複数の洗浄孔２３が形成された膣洗浄ノズル部１１と、シャワーヘッドＡに対して離接自在に構成され、シャワーヘッドＡのシャワー孔とシャワー水流路２２とを連通させるセット部１２と、を備え、シャワーヘッドＡに対して、セット部１２を相対的に押し付けて使用することを特徴とする。【選択図】  図１
2006122192.tif 000002
【特許請求の範囲】
【請求項１】
膣に挿入装着可能に構成されると共に、内部にシャワー水流路が形成され、シャワーヘッドからのシャワー水を噴出させる複数の洗浄孔が形成された膣洗浄ノズル部と、
シャワーヘッドに対して離接自在に構成され、前記シャワーヘッドのシャワー孔と前記シャワー水流路とを連通させるセット部と、を備え、
前記シャワーヘッドに対して、前記セット部を相対的に押し付けて使用することを特徴とする簡易ビデ。
【請求項２】
前記セット部には、前記シャワーヘッドのシャワー孔を包含可能に開口すると共に、前記シャワー水流路に連通する漏斗部が形成されていることを特徴とする請求項１に記載の簡易ビデ。
【請求項３】
前記セット部には、前記漏斗部の開口を囲むように前記シャワーヘッドに密着するシール部材が設けられていることを特徴とする請求項２に記載の簡易ビデ。
【請求項４】
前記セット部に対し、前記シャワーヘッドを位置決めするセットガイド部をさらに備えたことを特徴とする請求項１ないし３のいずれかに記載の簡易ビデ。
【請求項５】
前記セットガイド部は、前記シャワーヘッドのネック部に係合するガイド溝を有していることを特徴とする請求項４に記載の簡易ビデ。
【請求項６】
前記セットガイド部は、前記シャワーヘッドのヘッド部の平面形状に倣って形成され、当該ヘッド部の周縁に係合するガイド突起を有していることを特徴とする請求項４に記載の簡易ビデ。
【発明の詳細な説明】
【技術分野】
【０００１】
本発明は、シャワーを利用して、膣および外陰部を洗浄するための簡易ビデに関する。
【背景技術】
【０００２】
従来から、シャワー（ヘッド）に対して着脱自在に構成された簡易ビデ（使い捨てビデ）が知られている。このような簡易ビデは、当該簡易ビデを装着するための被装着部が形成された専用のシャワーヘッドに装着して用いるものであり、シャワー水を噴出させる洗浄孔が形成され、膣部に装着可能な洗浄ノズルと、バヨネット構造またはねじ構造を有し、シャワーヘッドの被装着部に対して着脱自在に構成された装着部（セット部）と、を備えている。
【特許文献１】特開平８−８４６７９号公報
【発明の開示】
【発明が解決しようとする課題】
【０００３】
しかしながら、従来の簡易ビデは、被装着部が形成された専用のシャワーヘッドにしか装着することができず、汎用または既設のシャワーヘッドを利用することができなかった。また、専用のシャワーヘッドに対し、簡易ビデを着脱自在とするための構造が必要となるため、構成が煩雑となり、コスト高になるといった問題も生じる。さらに、不慣れな使用者にあっては、使用に先立って流量調整を行う煩雑さがあった。
【０００４】
そこで、本発明は、手加減により流量調整が可能であり、かつ汎用または既設のシャワーヘッドを利用することが可能な簡易ビデを提供することを課題としている。
【課題を解決するための手段】
【０００５】
本発明の簡易ビデは、膣に装着可能に構成されると共に、内部にシャワー水流路が形成され、シャワーヘッドからのシャワー水を噴出させる複数の洗浄孔が形成された膣洗浄ノズル部と、シャワーヘッドに対して離接自在に構成され、シャワーヘッドのシャワー孔とシャワー水流路とを連通させるセット部と、を備え、シャワーヘッドに対して、セット部を相対的に押し付けて使用することを特徴とする。
【０００６】
この構成によれば、シャワーヘッドに対して、セット部を相対的に押し付けることにより、シャワーヘッドのシャワー孔とシャワー水流路とを連通させ、洗浄孔からシャワー水を噴出させることができる。したがって、汎用のシャワーヘッドに対しても、セット部を相対的に押し付けるだけで使用することが可能である。また、セット部は、シャワーヘッドに対して相対的に押し付け可能な構成であればよいので、バヨネット構造やねじ構造等の煩雑な構成を必要とせず、簡易な構成とすることが可能である。
さらに、本発明の簡易ビデは、シャワーヘッドに対するセット部の相対押圧力を調整することにより、シャワーヘッドとセット部との間から、シャワー水を逃がす（漏らす）ことができ、洗浄孔から噴出される水量および水圧を適宜調整することが可能である。
なお、この場合、シャワーヘッドに対してセット部を押し付けてから、膣洗浄ノズル部を膣に装着してもよいし、膣に膣洗浄ノズル部を装着してから、セット部にシャワーヘッドを押し当てるようにしてもよい。
【０００７】
この場合、セット部には、シャワーヘッドのシャワー孔を包含可能に開口すると共に、シャワー水流路に連通する漏斗部が形成されていることが好ましい。
【０００８】
この構成によれば、セット部には、シャワーヘッドのシャワー孔を包含可能に開口した漏斗部が形成されているので、シャワー水流路にて流速を高め、シャワー孔からのシャワー水を効率良くシャワー水流路へ送水可能である。
【０００９】
この場合、セット部には、漏斗部の開口を囲むようにシャワーヘッドに密着するシール部材が設けられていることが好ましい。
【００１０】
この構成によれば、漏斗部とシャワーヘッドとの密着性を高めることができ、シャワー水の水圧を効率的に利用して、洗浄孔からシャワー水を噴出させることができる。なお、この場合、漏斗部とシャワーヘッドとの密着度は、シャワーヘッドに対するセット部の相対押し付け力に依存しており、押し付け力を調整して密着度を変えることにより、シール部からのシャワー水の漏れ量を調整することができる。
【００１１】
これらの場合、セット部に対し、シャワーヘッドを位置決めするセットガイド部をさらに備えることが好ましい。
【００１２】
この構成によれば、セットガイド部により、セット部とシャワーヘッドとの位置決めを行うことができ、使用時におけるユーザの利便性を高めることができる。
【００１３】
この場合、セットガイド部は、シャワーヘッドのネック部に係合するガイド溝を有していることが好ましい。
【００１４】
この構成によれば、シャワーヘッドのネック部にガイド溝を係合させることにより、セット部とシャワーヘッドとの位置決めを行うことができ、シャワーヘッドに対してセット部を容易かつ安定にセット可能である。
【００１５】
この場合、セットガイド部は、シャワーヘッドのヘッド部の平面形状に倣って形成され、ヘッド部の周縁に係合するガイド突起を有していることが好ましい。
【００１６】
この構成によれば、シャワーヘッドのヘッド部の周縁に、ガイド突起を係合させることにより、セット部とシャワーヘッドとの位置決めを行うことができ、シャワーヘッドに対してセット部を容易かつ安定にセット可能である。
【発明を実施するための最良の形態】
【００１７】
以下、添付の図面を参照して、本発明を適用した簡易ビデについて説明する。図１ないし図３に示すように、簡易ビデ１は、膣に挿入装着可能に構成された膣洗浄ノズル部１１と、膣洗浄ノズル部１１の基部に連なり、シャワーヘッドＡにセットするセット部１２と、シャワーヘッドに対してセット部１２を位置決めするセットガイド部１３と、を備えており、これらは、樹脂等により一体に形成されている。
【００１８】
この簡易ビデ１は、汎用のシャワーヘッドＡのヘッド部Ａ１に（相対的に）押し付けて使用するものであり、セットガイド部１３をガイドにしながら、セット部１２を（汎用の）シャワーヘッドＡに押し付け、この状態でシャワーヘッドＡ（ヘッド部Ａ１に形成されたシャワー孔：図示省略）からシャワー水を噴出させると、膣洗浄ノズル部１１の複数の洗浄孔２３（後述する）から洗浄水が噴出されるようになっている。
【００１９】
簡易ビデ１の各構成要素について説明する。図１ないし３に示すように、膣洗浄ノズル部１１は、先端部が略半球状となるように角を取った、高さ５ｃｍ程度の（円）柱状に形成されている。また、膣洗浄ノズル部１１の側面部には、（膣洗浄ノズル部１１の）高さ方向に延在する４本の溝２１が周方向に均等に形成されており、膣洗浄ノズル部１１は、正面視略十字状に形成されている。
【００２０】
膣洗浄ノズル部１１の内部には、シャワー水を送水させるシャワー水流路２２が形成されており、膣洗浄ノズル部１１には、シャワー水流路２２に連通する複数の洗浄孔２３が開口している。複数の洗浄孔２３は、膣洗浄ノズル部１１の先端部と、その側面部に形成された各溝２１と、に位置して形成されている。各溝２１の凹部には、その延在方向に整列して、複数（４つ）の洗浄孔２３が等間隔に配置されている。この場合、各溝２１に整列した複数の洗浄孔２３は、隣接する溝２１の複数の洗浄孔２３と互い違いになるように（溝２１の延在方向に位置ずれして）形成されており、膣洗浄ノズル部１１の高さ方向に分散させて、シャワー水を噴出できるようになっている。なお、溝２１は、膣洗浄ノズル部１１の径方向に対して（僅かに）拡開しており、洗浄孔２３から噴出されるシャワー水が膣洗浄ノズル部１１の径方向に有効に噴出されるように考慮されている。
【００２１】
図１ないし３に示すように、セット部１２は、シャワーヘッドＡのヘッド部Ａ１に対する押し付け部となっており、シャワーヘッドＡ側に向かって拡開する略円錐台状に形成されている。そして、その斜辺は、セット部１２をシャワーヘッドＡに押し付けやすいように、下側に凸の緩やかな曲線に形成されている。セット部１２には、膣洗浄ノズル部１１のシャワー水流路２２の基部に連なり、かつシャワーヘッドＡ側に大きく開口したテーパ状の漏斗部３１が形成されている。したがって、シャワーヘッドＡのヘッド部Ａ１に対してセット部１２を相対的に押し付けると、漏斗部３１がシャワーヘッドＡのシャワー孔を包含し、シャワー孔から噴出されるシャワー水をシャワー水流路２２に送水可能な状態となる。
【００２２】
また、セット部１２には、漏斗部３１の開口を囲むように、環状の嵌込溝３２が形成されており、嵌入溝３２には、シール部材としてＯリング３３が嵌め込まれている。これにより、シャワーヘッドＡとセット部１２との密着度が高められ、漏斗部３１が包含するシャワー孔からのシャワー水を効率よく漏斗部３１へ送水できるため、膣洗浄ノズル部１１の洗浄孔２３から十分な水圧のシャワー水を噴出させることが可能となる。シャワーヘッドＡとセット部１２との密着度は、シャワーヘッドＡに対するセット部１２の相対押し付け力に相関しており、ユーザが手加減でこの相対押し付け力を小さくすることによりシャワーヘッドＡとセット部１２との密着度が低下させ、シャワーヘッドＡとＯリング３３との間からシャワー水を漏れ出させることも当然に可能である。なお、漏斗部３１は、ヘッド部Ａ１に形成された全シャワー孔を包含する構成とすることが好ましいが、ヘッド部Ａ１に形成された一部のシャワー孔を包含する構成とすることも可能である。
【００２３】
図１ないし３に示すように、セットガイド部１３は、セット部１２の基部周縁を囲むようにシャワーヘッドＡ側に突出している。そして、セットガイド部１３は、シャワーヘッドＡのネック部Ａ２に対応させて切り欠かれており、この切欠き部４１をシャワーヘッドＡのネック部Ａ２に係合させると、セット部１２に対して、シャワーヘッドＡが位置決めされた状態となる。なお、セットガイド部１３の形状は、シャワーヘッドＡのネック部Ａ２に係合させるものに限定されるものではない。例えば、図４に示すように、セットガイド部１３として、セット部１２の基部周縁から、シャワーヘッドＡのヘッド部Ａ１の平面形状に対応させて形成したガイド片４２を突出させ、ガイド片４２をヘッド部Ａ１の周面に係合させることにより位置決めする構成としてもよい。この場合、シャワーヘッドＡを安定的に位置決めするため、ガイド片４２は複数設けることが好ましい。
【００２４】
なお、膣洗浄ノズル部１１とセット部１２とを別体に構成し、これらをねじ等で接合する構成とすることも可能である。そして、汎用または既設のシャワーヘッドＡの種別に対応させてセット部１２を複数種用意しておき、共通の膣洗浄ノズル部１１を接合させる構成とすることにより、多種多様なシャワーヘッドＡに効率よく対応させることができる。
【００２５】
このように、本発明の簡易ビデは、シャワーヘッドに対して押し付けて使用する構成であるため、シャワーヘッドに簡易ビデを用いるための特別な構成を必要せず、汎用または既設のシャワーヘッドを利用することができる。また、シャワーヘッドに対する簡易ビデの相対押し付け力を調整することにより、洗浄孔からの水量および水圧を容易に調整可能である。さらに、簡易ビデをシャワーヘッドに装着固定するための複雑な構成も必要ではないため、構成を簡易にすることができ、製造コストを削減することができる。
【図面の簡単な説明】
【００２６】
【図１】本発明の実施形態に係る簡易ビデをシャワーヘッドに押し付けたときの側面図である。
【図２】簡易ビデの側面断面図である。
【図３】簡易ビデの説明図であり、（ａ）は、簡易ビデを膣洗浄ノズル部で切断したときの断面図であり、（ｂ）は、簡易ビデの背面図である。
【図４】簡易ビデのセットガイド部の変形例を示した説明図であり、（ａ）は、簡易ビデの側面図、（ｂ）は、簡易ビデの背面図である。
【符号の説明】
【００２７】
１  簡易ビデ                      １１  膣洗浄ノズル
１２  セット部                      １３  セットガイド部
２２  シャワー水流路                ２３  洗浄孔
３１  漏斗部                        ３３  Ｏリング
４１  切欠き部                      ４２  ガイド片
【図１】
2006122192.tif 000003
【図２】
2006122192.tif 000004
【図３】
2006122192.tif 000005
【図４】
2006122192.tif 000006